(57)【要約】【課題】電子モジュール、電気コネクタ及びその配置方法を提供する。【解決手段】本発明における表示パネルは、複数のドライバＩＣを有し、これらのドライバＩＣは画素領域に電気的に接続される。これらのドライバＩＣは、一つまたは複数のファンアウトパターンで配置される導線を通じて前記画素領域に電気的に接続される。これらのドライバＩＣの内の少なくとも一つのドライバＩＣのファンアウトパターンの配置により、これらのドライバＩＣの間における互いに隣接するファンアウト区間の傾きが同じ符号を有すことができる。一つのＩＣのファンアウト区間の傾きがマイナスであれば、右側に隣接するＩＣに対して、前記隣接するＩＣの一番左のファンアウト区間の傾きもマイナスであるように、該隣接するＩＣの導線パターンを配置する。三枚のＩＣが共通の画素領域に接続される時、一番左のファンアウト区間の傾きはプラスで、一番右のファンアウト区間の傾きはマイナスであるように、真ん中のＩＣの導線パターンを配置する。【選択図】図６
2009258730.tif 000002
【特許請求の範囲】
【請求項１】
第１電子装置と、第２電子装置と、第３電子装置とを含む電子モジュールの配置方法であって、前記第１電子装置は、第１導線パターンを通じて前記第３電子装置に電気的に接続され、且つ、前記第１導線パターンは、第１ファンアウト部分を有し、前記第２電子装置は、第２導線パターンを通じて前記第３電子装置に接続され、且つ、前記第２導線パターンは第２ファンアウト部分を有し、第１導線パターンは、第１側部と第１側部の反対側の第２側部とを有し、前記第２導線パターンも第１側部と第１側部の反対側の第２側部を有し、前記第２導線パターンの第２側部は前記第１導線パターンの前記第１側部に隣接し、且つ、前記第１ファンアウト部分は、第１側部に位置する第１最外部ファンアウト区間と第２側部に位置する第２最外部ファンアウト区間とを有し、前記第１最外部ファンアウト区間は、第１傾き符号の傾きを有し、前記第２最外部ファンアウト区間は、第１傾き符号と異なる第２傾き符号の傾きを有するように配置し、
前記第２導線パターンの前記第２ファンアウト部分の前記第２側部の位置に、第３最外部ファンアウト区間を配置して、前記第３最外部ファンアウト区間の傾きが前記第１傾き符号と同じ符号を有するように配置し、
前記第２導線パターンの前記第２ファンアウト部分の前記第１側部の位置に、第４最外部ファンアウト区間を配置し、前記第４最外部ファンアウト区間の傾きが前記第１傾き符号と同じ符号を有するように配置した電子モジュールの配置方法において、
前記第１ファンアウト部分は、前記第１電子装置に隣接する幅の狭い端部と前記第３電子装置に隣接する幅の広い端部とを有し、
前記第２ファンアウト部分は、前記第２電子装置に隣接する幅の狭い端部と前記第３電子装置に隣接する幅の広い端部とを有することを特徴とする電子モジュールの配置方法。
【請求項２】
前記第３最外部ファンアウト区間の傾きは、前記第１最外部ファンアウト区間の傾きに等しくなるように配置することを特徴とする請求項１に記載の電子モジュールの配置方法。
【請求項３】
前記第３最外部ファンアウト区間の傾きは、前記第１最外部ファンアウト区間の傾きより小さくなるように配置することを特徴とする請求項１に記載の電子モジュールの配置方法。
【請求項４】
前記第３最外部ファンアウト区間の傾きは、前記第１最外部ファンアウト区間の傾きより大きくなるように配置することを特徴とする請求項１に記載の電子モジュールの配置方法。
【請求項５】
前記電子モジュールは、さらに第４電子装置を含み、前記第１導線パターンの第２側部に隣接する第３導線パターンを通じて前記第３電子装置に電気的に接続され、
前記方法は、さらに、
第３ファンアウト部分を有するよう前記第３導線パターンを配置し、前記第３ファンアウト部分は、前記第２最外部ファンアウト区間に隣接する第５最外部ファンアウト区間を有し、前記第５最外部ファンアウト区間は前記第２傾き符号と同じ符号の傾きを有し、
前記第３ファンアウト部分に、前記第２最外部ファンアウト区間からは、更に遠く離れる方向に前記最外部第５ファンアウト区間からスペースをおいて配置した第６最外部ファンアウト区間を配置し、前記第６最外部ファンアウト区間も前記第２傾き符号と同じ符号の傾きを有し、前記第３ファンアウト部分は、前記第４電子装置に隣接する幅の狭い端部と前記第３電子装置に隣接する幅の広い端部とを有するように配置することを特徴とする請求項１に記載の電子モジュールの配置方法。
【請求項６】
第１導線パターンと第２導線パターンを備える電気コネクタであって、
前記第１導線パターンは、第１電子装置と第３電子装置を電気的に接続させるために配置され、第１側部と第１側部の反対側の第２側部を有し、さらに第１ファンアウト部分を含み、前記第１ファンアウト部分は前記第１電子装置に隣接する幅の狭い端部と、前記第３電子装置に隣接する幅の広い端部とを有し、且つ、前記第１ファンアウト部分は、前記第１側部に位置する第１最外部区間及び第２側部に位置する第２最外部区間を含み、前記第１最外部区間は第１傾き符号を有し、前記第２最外部区間は、前記第１傾き符号と反対の符号の第２傾き符号を有し、
第２導線パターンは、第２電子装置と前記第３電子装置を電気的に接続するために配置され、第１側部と第１側部の反対側の第２端部を有し、前記第２導線パターンの前記第２側部は、前記第１導線パターンの前記第１側部に隣接し、前記第２導線パターンは、第２ファンアウト部分を含み、前記第２ファンアウト部分は、前記第２電子装置に隣接する幅の狭い端部と前記第３電子装置に隣接する幅の広い端部とを有し、且つ、前記第２ファンアウト部分は、前記第１最外部区間に隣接する第３最外部区間を含み、前記第３最外部区間は、前記第１傾き符号と同じ符号を有し、前記第２ファンアウト部分は、さらに前記第２最外部区間からは更に遠く離れる方向に前記第３最外部区間からスペースをおい配置した第４最外部区間を含み、前記第４最外部区間は、前記第１傾き符号と同じ符号を有することを特徴とする電気コネクタ。
【請求項７】
前記第３最外部ファンアウト区間の傾きは、前記第１最外部ファンアウト区間の傾きに等しいことを特徴とする請求項６に記載の電気コネクタ。
【請求項８】
前記第３最外部ファンアウト区間の傾きは、前記第１最外部ファンアウト区間の傾きより小さいことを特徴とする請求項６に記載の電気コネクタ。  
【請求項９】
前記第３最外部ファンアウト区間の傾きは、前記第１最外部ファンアウト区間の傾きより大きいことを特徴とする請求項６に記載の電気コネクタ。
【請求項１０】
電子モジュールであって、
第１電子装置と、
第２電子装置と、
第３電子装置と、
前記第１電子装置と前記第３電子装置を電気的に接続させるために配置され、第１側部及び第１側部の反対側の第２側部を有し、さらに、第１ファンアウト部分を含み、前記第１ファンアウト部分が、前記第１電子装置に隣接する幅の狭い端部、及び前記第３電子装置に隣接する幅の広い端部を有し、且つ、前記第１ファンアウト部分が、前記第１側部に位置する第１最外部区間及び前記第２側部に位置する第２最外部区間を含み、前記第１最外部区間が第１傾き符号を有し、前記第２最外部区間が、前記第１傾き符号と反対の第２傾き符号を有する第１導線パターンと、
前記第２電子装置と前記第３電子装置を電気的に接続させるために配置され、第１側部及び第１側部の反対側の第２側部を有し、前記第２側部が前記第１導線パターンの前記第１側部に隣接し、且つ、第２ファンアウト部分を更に含み、前記第２ファンアウト部分が、前記第２電子装置に隣接する幅の狭い端部及び前記第３電子装置に隣接する幅の広い端部を有し、且つ、前記第２ファンアウト部分が、前記第１最外部区間に隣接する第３最外部区間を含み、前記第３最外部区間が、前記第１傾き符号と同じ符号を有し、かつ、前記第２ファンアウト部分が、前記第２最外部区間からは更に遠く離れる方向に前記第３最外部区間からスペースを置いて配置される第４最外部区間を更に含み、前記第４最外部区間が、前記第１傾き符号と同じ符号を有する第２導線パターンと、
を備えることを特徴とする電子モジュール。
【請求項１１】
前記第３最外部ファンアウト区間の傾きは、前記第１最外部ファンアウト区間の傾きに等しいことを特徴とする請求項１０に記載の電子モジュール。
【請求項１２】
前記第３最外部ファンアウト区間の傾きは、前記第１最外部ファンアウト区間の傾きより小さいことを特徴とする請求項１０に記載の電子モジュール。
【請求項１３】
前記第３最外部ファンアウト区間の傾きは、前記第１最外部ファンアウト区間の傾きより大きいことを特徴とする請求項１０に記載の電子モジュール。
【請求項１４】
前記第１導線パターンの前記第２側部に隣接する第３導線パターンを通じて、
前記第３電子装置に電気的に接続される第４電子装置を更に含み、
前記第３導線パターンは、第３ファンアウト部分を含み、前記第３ファンアウト部分は、前記第２最外部ファンアウト区間に隣接する第５最外部ファンアウト区間を含み、前記第５最外部ファンアウト区間は、前記第２傾き符号と同じ符号の傾きを有し、
尚、前記第３ファンアウト部分は、前記第２最外部ファンアウト区間からは更に遠く離れる方向に前記第５ファンアウト区間からスペースをおいて配置された第６最外部ファンアウト区間を含み、且つ、前記第６最外部ファンアウト区間も前記第２傾き符号と同じ傾き符号の傾きを有し、前記第３ファンアウト部分は、前記第４電子装置に隣接する幅の狭い端部及び前記第３電子装置に隣接する幅の広い端部を有することを特徴とする請求項１０に記載の電子モジュール。
【請求項１５】
前記第１電子装置は第１駆動回路を有し、前記第２電子装置は第２駆動回路を有し、前記第３電子装置は表示領域を有することを特徴とする請求項１０に記載の電子モジュール。
【発明の詳細な説明】
【技術分野】
【０００１】
本発明は、二つの電子装置の間における一組の導線に関し、特に、ドライバＩＣと表示パネルの画素領域間に位置する電気コネクタに関する。
【背景技術】
【０００２】
液晶表示（liquid  crystal  display,  LCD）パネル等の表示パネルは、画素領域と、前記画素領域に接続される複数のデータラインとゲートラインとを有する。図１に示すように、これらのデータラインとゲートラインは、複数の集積回路ドライバまたはドライバＩＣに接続される。図２に示すように、各ドライバＩＣは、通常、複数の導電性接続パッドを有する接続パッド領域（図示せず）を含んでおり、複数の導線を前記画素領域のコネクタに接続させる。前記チップ側の互いに隣接する導線間の間隔ＳIが前記画素領域上の互いに隣接するコネクタ間の間隔Ｓpより遥かに小さいため、前記チップ側より前記画素領域への導線の拡張にはファンアウトパターンが用いられる。
【０００３】
図２に示すように、大部分の導線は三つの接続区間、すなわち、表示側区間ａｂ、ファンアウト区間ｂｃ及びチップ側区間ｃｄを有する。このファンアウトパターンにおいて、側面の導線の長さは、該パターンの真ん中部分の導線の長さより長い。つまり、真ん中から離れば離れるほど導線が長くなる。例えば導線Ａは導線Ｂより短く、導線Ｂはまた導線Ｃより短い。前記導線が同じ材料で作られ、かつ、ほぼ同じ厚さと幅を有するとすれば、長い導線は短い導線より抵抗が大きい。図３ａと図３ｂに示すように、上述したファンアウトパターンにおける導線間の抵抗値の差を低減させるために、各種ジグザグ形の経路パターンを利用して両点間の導線の長さを増加させる。
【０００４】
図３ｂに示すように、前記ファンアウト区間ｂｃは直線ではないが、その傾きは、通常、点ｂと点ｃを繋ぐ直線により定められる。公知の通り、前記ファンアウトパターンの左側にあるファンアウト区間の傾きはプラスであり、前記ファンアウトパターンの右側にあるファンアウト区間の傾きはマイナスである。例えば、図２において、導線Ｂ、Ｃ、Ｄ、Ｅの各ファンアウト区間の傾きはプラスであり、導線Ｂ’、Ｃ’、Ｄ’、Ｅ’の各ファンアウト区間の傾きはマイナスである。さらに、全体的導線パターンはほぼ対称であるため、導線Ｅのファンアウト区間の傾きが導線Ｅ‘のファンアウト区間の傾きと符号が反対である以外に、導線Ｅの形と導線Ｅ’の形はほぼ同じである。
【０００５】
従って、一つの表示パネルが二つ以上のチップを持ち、且つ該二つのチップが前記画素領域と電気的に接続される時、チップの最外部のファンアウト区間と互いに隣接するチップの隣接する最外部のファンアウト区間は異なる傾き符号を有する。例えば、図１におけるデータドライバＩＣ１と前記画素領域の最右の導線を接続するファンアウト区間の傾きはマイナスであって、反対に、データドライバ２と前記画素領域の最左の導線を接続するファンアウト区間の傾きはプラスである。
【発明の概要】
【発明が解決しようとする課題】
【０００６】
本発明は、電子モジュール、電気コネクタ、及びその配置方法を提供することを目的とする。
【課題を解決するための手段】
【０００７】
本発明は、二つまたは複数の狭いコネクタ間隔を有する電子装置が、もう一つの広いコネクタ間隔を有する電子装置に接続される等の電子モジュールに適用されるコネクタパターンを提供する。例えば、前記電子モジュールは、表示パネルであっても良い。該表示パネルにおいて、図１に示すように、狭いコネクタ間隔を有する電子装置が該ドライバＩＣであり、広いコネクタ間隔を有する電子装置が該画素領域である。特に、本発明は、二つの互いに隣接する電子装置のコネクタパターンに関する。
【０００８】
本発明の実施例によれば、少なくとも一つのチップの全てのファンアウトパターンの傾きが、同じ符号を有するように配置される。具体的に、該チップのファンアウト区間の傾きがマイナスであれば、右側に隣接するチップに対して、該隣接するチップの最左のファンアウト区間の傾きがマイナスであるように導線パターンを配置する。三枚のチップが同じ画素領域に接続される場合、真ん中のチップの導線パターンを配置すると、最左のファンアウト区間の傾きがプラスであって、最右のファンアウト区間の傾きがマイナスとなる。前記チップの左側の導線パターンは、その全てのファンアウト区間にける傾きがプラスであり、且つ、該チップの右側の導線パターンは、その全てのファンアウト区間における傾きがマイナスである。本発明は、前記導線パターンが一つのファンアウト区間のみを有して、且つファンアウト部分が二つまたは複数である時に応用される。この場合、前記画素領域に近いファンアウト部分のうちの一つにおいて、少なくとも前記ファンアウト区間における傾きが同じ符号を有する。
【０００９】
従って、本発明の第１態様は、狭いコネクタ間隔を有する二つまたは複数の電子装置が、もう一つの広いコネクタ間隔を有する電子装置に接続されることを特徴とする電子モジュールを開示する。
【００１０】
もう一つの態様として本発明は、電子モジュールに用いられる方法を開示する。該電子モジュールは、第１電子装置、第２電子装置と第３電子装置を有し、前記第１電子装置は、第１導線パターンを通じて前記第３電子装置に電気的に接続され、前記第１導線パターンは第１ファンアウト部分を有し、前記第２電子装置は、第２導線パターンを通じて前記第３電子装置に電気的に接続される。
【００１１】
もう一つの態様として本発明は、電気コネクタを開示する。該電気コネクタは、
第１電子装置と第３電子装置を電気的に接続するために配置され、第１側部及び第１側部の反対側の第２側部を有し、さらに、第１ファンアウト区間を含み、前記第１ファンアウト区間は、前記第１電子装置と隣接する幅の狭い端部と前記第３電子装置と隣接する幅の広い端部を有し、且つ前記第１ファンアウト区間は、前記第１側部に位置する第１最外部区間と前記第２側部に位置する第２最外部区間を含み、さらに、前記第１最外部区間は、第１傾きを有し、前記第２最外部区間は、前記第１傾きと逆符号の第２傾きを有する第１導線パターンと；
【００１２】
第２電子装置と第３電子装置を電気的に接続するために配置され、第１側部及び第１側部の反対側の第２端部を有し、前記第２側部は前記第１導線パターンの前記第１側部に隣接し、第２ファンアウト区間を含み、前記第２ファンアウト区間は、前記第２電子装置に隣接する幅の狭い端部と前記第３電子装置に隣接する幅の広い端部を有し、且つ前記第２ファンアウト区間は、前記第２最外部区間に隣接する第３最外部区間を含み、前記第３最外部区間は、前記第１傾きと同じ傾きを有し、尚、前記第２ファンアウト区間は、さらに第４最外部区間を含み、前記第３最外部区間と離れ、さらに、前記第２最外部区間から遠く離れ、前記第４最外部区間は、前記第１傾きと同じ傾きを有する第２導線パターンと、
を備える。
【００１３】
本発明の上述した目的、特徴、利点がより一層明確に判るよう、以下に実施形態を例示し、図３ａ〜図１３を参照にしながら、詳細に説明する。
【図面の簡単な説明】
【００１４】
【図１】複数のデータドライバＩＣとゲートドライバＩＣが、従来の表示パネルにおける画素領域のデータラインとゲートラインとに電気的に接続されることを示す図である。
【図２】ドライバＩＣの溶接パッド領域と画素領域の少なくとも一部を接続させる従来の導線ファンアウトパターンを示す図である。
【図３ａ】チップ側の導線区間の典型的ジグザグまたは折りパターンを示す図である。
【図３ｂ】導線ファンアウト区間の典型的ジグザクまたは折りパターンを示す図である。
【図３ｃ】表示側の導線区間の典型的ジグザグまたは折りパターンを示す図である。
【図４】二つのファンアウト部分を有する従来の導線パターンを示す図である。
【図５】本発明の実施例による導線パターンを示す図である。
【図６】二枚のチップ間の空間関係を示す図であり、これらのチップのうちの一つは図５における導線パターンを有する。
【図７】その他の二枚のチップ間の空間関係を示す図であり、これらのチップのうちの一枚は図５における導線パターンを有する。
【図８】三枚のチップ間の空間関係を示す図であり、これらチップのうちの一つは図５における導線パターンを有し、且つ、これらのチップのもう一枚は図５における導線パターンと逆の導線パターンを有する。
【図９】本発明の実施例による二つのファンアウト部分を有する導線パターンを示す図である。
【図１０】二枚のチップ間の空間関係を示す図であり、これらのチップのうちの一つは図９における前記導線パターンを有する。
【図１１】本発明のもう一つの実施例による互いに隣接する二つのチップの導線パターンを示す図である。
【図１２】本発明のもう一つの実施例による互いに隣接する二つのチップの導線パターンを示す図である。
【図１３】幅が狭い導線間隔を有する二つの電子装置が第３電子装置に接続される電子モジュールを示す図である。
【発明を実施するための形態】
【００１５】
以下、本発明を一層明確に判るよう、本発明の好ましい実施形態を詳述するが、本発明を限定するものではない。本発明の保護範囲は、添付の特許請求の範囲を基準とする。
【００１６】
本発明は、二つまたは複数の幅の狭いコネクタを有する電子装置を、幅の広いコネクタ間隔を有する他の電子装置に電気的に接続するための導線パターンに関する。例えば、前記の幅の狭いコネクタ間隔を有する電子装置は、ドライバ集積回路（integrated circuits, ICs）であり、幅の広いコネクタ間隔を有する前記電子装置は、表示パネルの画素領域である。特に、前記ドライバＩＣは、互いに隣接されるとともに、前記画素領域の同じコネクタに電気的に接続される。図１に示すのは、前記画素領域のデータラインに３枚のデータドライバＩＣを接続した例である。
【００１７】
本発明は、特に、前記互いに隣接するチップのうちの一つに用いられる前記ファンアウト導線部分に関する。一つのファンアウト部分は複数のファンアウト導線区間を有する。公知によれば、前記左側のファンアウト区間の傾きと前記右側のファンアウト区間の傾きは互いに逆の符号を有する。例えば、前記左側のファンアウト区間の傾きがプラスであれば、前記右側のファンアウト区間の傾きはマイナスである。これに対し、本発明の実施例によれば、互いに隣接する導線パターンの空間関係に応じて、いずれかのチップが利用する導線パターンにおいて、全てのファンアウト区間の傾きは、プラスまたはマイナスのうちの一つである。
【００１８】
図５に示すように、前記チップと前記画素領域を接続する導線の導線パターン５は、ファンアウト部分１０を有する。前記ファンアウト部分１０において、導線A、B、・・・、EとE’のそれぞれはファンアウト区間を有する。例えば、前記一番左の導線Eはファンアウト区間２０を有し、前記一番右の導線E’はファンアウト区間２２を有する。全てのファンアウト区間の傾きはプラスである。図５に示すように、前記ファンアウト区間２０の傾きは前記ファンアウト区間２２の傾きより小さい。しかし、あらゆるファンアウト区間は同じ傾きを有することも可能である。また、前記一番左のファンアウト区間２０の傾きを前記ファンアウト区間２２の傾きより大きくすることも可能である。
【００１９】
全てのファンアウト区間の傾きはプラスまたはマイナスのいずれかであることの特長は図６に示される。図６に示すように、チップaとチップbが前記画素領域の同じコネクタに接続される時、チップａの導線パターン５aを一番左の区間２０aと一番右の区間２２aを含むファンアウト部分１０aにおける全てのファンアウト区間の傾きがプラスであるように配置する。チップbの導線パターン５bにおいては、ファンアウト部分１０bにおける一番左のファンアウト区間２０bの傾きはプラスであるが、一番右のファンアウト区間２２aの傾きはマイナスである。よって、チップaと前記画素データを接続させる導線の導線パターン５aは、チップbと前記画素領域を接続させる導線の導線パターン５bと異なる。図６に示すように、チップaのファンアウト部分１０aの一番右のファンアウト区間２２aと、チップbのファンアウト部分１０bの一番左のファンアウト区間２０bの傾きはすべてプラスであり、または、同様の傾きを有する。これにより、チップaとチップbが非常に近接することが可能であり、距離Dが大幅に縮小することが可能である（図１と比べた場合）。前記ファンアウト区間２２aの傾きは、前記ファンアウト区間２０bの傾きより、大きい、小さい、または、等しくてもよい。ある場合には、互いに隣接する二つのファンアウト域の傾きは同じであることが好ましい。
【００２０】
二つのチップを近接させることは多くの利点がある。例えば、両チップの間隔を非常に小さくして、面積を小さくする効果を果たす。さらに、両チップが共に同じ電圧源を使用するか、または、共通基板の際、両チップの間の接続配線はさらに短くできる。
【００２１】
図６おいて、前記導線パターン５ｂは非対称である。即ち、前記最左のファンアウト区間２０ｂの傾きと前記最右のファンアウト区間２２ｂの傾きが異なっており、該傾き符号が異なるだけではなく、傾斜の状態も異なる。しかしながら、前記導線パターン５ｂは、図７のように対称的にしでも良い。
【００２２】
図８に示すように、三枚のチップが一つの共通画素領域に接続されている。この場合、チップｃと前記画素領域に接続する導線パターン５ｃを前記導線パターン５ａと反対になるように配置することが好ましい。導線パターン５ｃにおいて、一番左のファンアウト区間２０ｃと一番右のファンアウト区間２２ｃを含むすべてのファンアウト区間の傾きは、全部マイナスである。よって、互いに隣接する区間２２ｂと２０ｃの傾きは、同様の符号を有する。導線パターン５ａと５ｃが対称で、前記導線パターン５ｂも左右対称である場合、チップａとチップｂの間の距離は、チップｂとチップｃの間の距離とほぼ同じである。要するに、チップａとチップｂの間の距離は、図１におけるドライバＩＣ１とドライバＩＣ２との間の距離より遥かに小さい。
【００２３】
二つのファンアウト領域を有する導線パターンにおいて、二つの隣接するチップ間の距離を短縮させることも可能である。図４は二つのファンアウト領域を有する一典型的導線パターンを示す。図４に示すように、第１ファンアウト領域は、チップ側の互いに隣接する導線間の距離ＳIを中間レベルの間隔ＳMに拡大し、その後、第２ファンアウト領域は、前記中間レベルの間隔ＳMを前記画素領域側に適する間隔ＳPに拡大する。図２に示す導線パターンのように、左側のファンアウト区間の傾きはプラスであり、右側のファンアウト区間の傾きはマイナスである。
【００２４】
本発明のもう一つの実施例において、図９に示すように、第１ファンアウト領域におけるすべての第２ファンアウト区間の傾き（前記画素領域側に近いファンアウト区間）は同じ記号を有することが可能である。図９に示すように、一番左のファンアウト区間３０の傾きと第１ファンアウト領域の一番右のファンアウト区間３２の傾きとは、その符号が互いに逆であり、第２ファンアウト領域において、一番左のファンアウト区間４０の傾きと前記第２ファンアウト領域の一番右のファンアウト区間４２との傾きは、同じ符号を有する。これにより、図１０に示すように、二枚または複数のチップが同じ画素領域に接続される時、二枚のチップ間の距離が短縮することができる。図１０に示すように、チップａとチップｂが画素領域の同じコネクタに接続される時、一番左の区間４０ａと一番右の区間４２ａを含む第２ファンアウト部分のファンアウト区間の傾きは、すべてプラスである。チップｂの前記導線パターンの第２ファンアウト領域において、一番左のファンアウト区間４０ｂの傾きはプラスであるが、一番右のファンアウト区間４２ｂの傾きはマイナスである。従って、チップａの前記第２ファンアウト領域の一番右のファンアウト区間４２ａの傾きとチップｂの前記第２ファンアウト部分の一番左のファンアウト区間４０ｂの傾きは全てプラスであり、または、同じ傾き符号を有する。前記ファンアウト区間４２ａの傾きは、前記ファンアウト区間４０ｂの傾きより、大きい、小さい、または等しくても良い。ある場合、互いに隣接する両ファンアウト区間の傾きは等しいことが好ましい。
【００２５】
本発明のもう一つの実施例によれば、図１１に示すように、前記第１ファンアウト領域において、一番左のファンアウト区間３０ａと一番右のファンアウト区間３２ａを含むチップaのすべてのファンアウト区間の傾きが、同じ符号を有する。さらに、チップaの前記第１ファンアウト領域のファンアウト区間の傾きと前記第２ファンアウト領域のファンアウト区間の傾きは、同じ符号を有する。
【００２６】
本発明のもう一つの実施例において、チップａの導線パターンは、一つのファンアウト領域のみを有し、チップｂの導線パターンは、二つのファンアウト領域を有する。図１２に示すように、チップａの導線パターンにおける一番左のファンアウト区間２０ａと一番右のファンアウト区間２２ａを含む前記ファンアウト区間の全ての傾き、及び前記チップｂの導線パターンにおける第２ファンアウト領域の一番左のファンアウト区間４０ｂの傾きは、すべて同じ符号を有している。即ち、上述した傾きは、すべてプラス傾きである。
【００２７】
ようするに、画素領域に電気的に接続される複数のドライバＩＣを有する表示パネルに対して、該表示パネルにおいて、前記ドライバＩＣと前記画素領域を電気的に接続させる導線は一つまたは複数のファンアウトパターンで配置される。本発明の実施例によれば、図５に示すように、少なくとも一つのチップのファンアウトパターンを、そのファンアウト区間の傾きが全部同じ傾き符号を有するように配置する。さらに詳しく言えば、図６と図７に示すように、前記チップのファンアウト区間の傾きがマイナスであれば、前記チップの右側に隣接するチップの一番左のファンアウト区間の傾きもマイナスであるように、右側に隣接するチップの導線パターンを配置する。三枚のチップが共通の画素領域に接続される時、図８に示すように、真ん中のチップの導線パターンを左右対称になるように、即ち、一番左のファンアウト区間の傾きはプラスに、一番右のファンアウト区間の傾きはマイナスになるように配置することができる。左側のチップの導線パターンにおいて、ファンアウト区間の全ての傾きはプラスであり、右側のチップの導線パターンにおいて、ファンアウト区間の全ての傾きはマイナスである。本発明は、導線パターンが一つのファンアウト領域のみを有する場合、および導線パターンが二つまたは複数のファンアウト領域を有する場合に適用される。この場合、図１０と図１１に示すように、前記画素領域に近いファンアウト領域の内少なくとも一つのファンアウト部分は、該ファンアウト区間の傾きが同じである。
【００２８】
本発明は、表示パネルにおける集積回路と画素領域との接続を開示する。注意すべきことは、当業者であれば、幅の狭いコネクタ間隔を有する二つまたは複数の電子装置が、幅の広いコネクタ間隔を有する他の電子装置に接続される電子モジュールにも、本技術を応用することができることを判るはずである。例えば、図１３に示す電子モジュールのように、幅の狭いコネクタ間隔を備える第１電子装置と第２電子装置が第３電子装置に接続される。前記電子モジュールは、さらに、
【００２９】
前記第１電子装置と前記第３電子装置を電気的に接続するために配置され、第１側部及び第１側部の反対側の第２側部を有し、さらに、第１ファンアウト区間を含み、前記第１ファンアウト区間は、前記第１電子装置と隣接する幅の狭い端部と前記第３電子装置と隣接する幅の広い端部を有するとともに、前記第１ファンアウト区間は、前記第１側部に位置する第１最外部区間と前記第２側部に位置する第２最外部区間を含み、さらに、前記第１最外部区間は、第１傾き符号を有し、前記第２最外部区間は、前記第１傾き符号と逆の第２傾き符号を有する第１導線パターン；および、
【００３０】
前記第２電子装置と前記第３電子装置を電気的に接続するために配置され、第１側部及び第１側部の反対側の第２側部を有し、前記第２側部は前記第１導線パターンの前記第１側部と隣接し、さらに、第２ファンアウト区間を含み、前記第２ファンアウト区間は、前記第２電子装置に隣接する幅の狭い端部と前記第３電子装置に隣接する幅の広い端部を有するとともに、前記第２ファンアウト区間は、前記第２最外部区間に隣接する第３最外部区間を含み、前記第３最外部区間は、前記第１傾き符号と同じ傾き符号を有し、かつ、前記第２ファンアウト区間は、さらに前記第２最外部区間からもっと離れる方向に前記第３最外部区間とスペースを置いて配置された第４最外部区間を含み、前記第４最外部区間は、前記第１傾き符号と同じ傾き符号を有する第２導線パターンと、を備える。
【００３１】
従って、本発明は、電子モジュールに用いられる方法を提供する。前記電子モジュールは、第１電子装置、第２電子装置及び第３電子装置を有し、前記第１電子装置は、第１導線パターンを通じて前記第３電子装置に電気的に接続され、前記第１導線パターンは、第１ファンアウト部分を有し、かつ、前記第２電子装置は第２導線パターンを通じて前記第３電子装置に電気的に接続され、前記第２導線パターンは第２ファンアウト部分を有し、さらに、前記第１導線パターンは、第１側部（左側）及び第１側部の反対側の第２側部（右側）とを有し、前記第２導線パターンの第１側部（左側）は、前記第１導線パターンの前記第２側部（右側）に隣接し、尚、前記第１ファンアウト部分は、前記第１端部に位置する第１最外部ファンアウト区間と前記第２端部に位置する第２最外部ファンアウト区間を含み、前記第１最外部ファンアウト区間の傾きは第１傾き符号（プラス）を有し、前記第２最外部ファンアウト区間の傾きは異なる第２傾き符号（マイナス）を有する。前記方法は、前記第２導線パターンの前記第２端部（右側）上に第３最外部ファンアウト区間を構成し、且つ前記第３最外部ファンアウト区間の傾きが前記第１傾き符号（プラス）と同じ傾き符号を有するように前記第２ファンアウト部分を設置し；尚、
【００３２】
前記第２導線パターンの前記第１側部（左側）上に第４最外部ファンアウト区間を構成し、前記第４最外部ファンアウト区間の傾きが前記第１傾き符号（プラス）と同じ傾き符号を有するように前記第２ファンアウト部分設置し、
前記第１ファンアウト部分は、前記第１電子装置に隣接する幅の狭い端部と前記第３電子装置に隣接する幅の広い端部を有し、
前記第２ファンアウト部分は、前記第２電子装置に隣接する幅の狭い端部と前記第３電子装置に隣接する幅の広い端部を有する。
【００３３】
本発明は、また、電気コネクタに関し、  
第１電子装置と第３電子装置を電気的に接続するために配置され、第１側部及び第１側部の反対側の第２側部を有し、さらに、第１ファンアウト区間を含み、前記第１ファンアウト区間は、前記第１電子装置に隣接する幅の狭い端部と前記第３電子装置に隣接する幅の広い端部を有するとともに、前記第１ファンアウト区間は、前記第１側部に位置する第１最外部区間と第２側部に位置する第２最外部区間を含み、さらに、前記第１最外部区間は、第１傾き符号を有し、前記第２最外部区間は、前記第１傾き符号と逆の第２傾き符号を有する第１導線パターン；および、
【００３４】
第２電子装置と前記第３電子装置を電気的に接続するために配置され、第１側部及び第１側部の反対側の第２側部を有し、前記第２側部は前記第１導線パターンの前記第１側部に隣接し、さらに、第２ファンアウト区間を含み、前記第２ファンアウト区間は、前記第２電子装置に隣接する幅の狭い端部と前記第３電子装置に隣接する幅の広い端部を有するとともに、前記第２ファンアウト区間は、前記第２最外部区間に隣接する第３最外部区間を含み、前記第３最外部区間は、前記第１傾きと同じ傾き符号を有し、かつ、前記第２ファンアウト区間は、さらに前記第２最外部区間からもっと離れる方向に前記第３最外部区間とスペースを置いて配置された第４最外部区間を含み、前記第４最外部区間は、前記第１傾きと同じ傾き符号を有する第２導線パターンと、を備える。
【００３５】
上記内容は、本発明の好ましい実施例に過ぎなく、本発明を限定するものではない。当業者であれば、本発明の精神を脱しない範囲内で各種の変動や潤色を加えることができ、従って、本発明の保護範囲は、特許請求の範囲を基準とする。
【符号の説明】
【００３６】
IC1、IC2、IC3〜ドライバ；
20、20a、20b、20c、22、22a、22b、22c、30、32、32a、32b、40、40a、42、42a、42b〜区間；
5a、5b〜導線パターン；
SI、SP、SM〜間隔；
１0、10a、10b、10c〜ファンアウト部分；
D〜距離。
【図１】
2009258730.tif 000003
【図２】
2009258730.tif 000004
【図３ａ】
2009258730.tif 000005
【図３ｂ】
2009258730.tif 000006
【図３ｃ】
2009258730.tif 000007
【図４】
2009258730.tif 000008
【図５】
2009258730.tif 000009
【図６】
2009258730.tif 000010
【図７】
2009258730.tif 000011
【図８】
2009258730.tif 000012
【図９】
2009258730.tif 000013
【図１０】
2009258730.tif 000014
【図１１】
2009258730.tif 000015
【図１２】
2009258730.tif 000016
【図１３】
2009258730.tif 000017